(57)【要約】【課題】  溝やアンダーカットを設けたり、取付穴に溝を開けたり一切することなく、座グリ穴を深くする必要もなく、加工工程を増大させず、コストを安くすること。【解決手段】  案内レール１の取付座グリ穴２と取付ボルト１０の頭部との間に、係合部品３の脚部６が挿入してあり、取付ボルト１０の頭部の凹部１１に、切片状の係止部７が係止してあり、これにより、係合部品３は、案内レール１側に固定してある。係合部品３の板状部５の両サイドの折り曲げた部分に、カバーバンド４の両サイドの折り曲げた部分が係合してあり、これにより、カバーバンド４は、係合部品３を介して、案内レール１に固定してある。【選択図】  図１
2007064448.tif 000002
【特許請求の範囲】
【請求項１】
案内レールの上面に、カバーバンドが長手方向にわたって取付けてある直動転がり案内ユニットに於いて、
前記カバーバンドは、前記案内レールを固着する取付ボルトに係合したことによって、前記案内レールの上面に取付けてあることを特徴とする直動転がり案内ユニット。
【請求項２】
前記カバーバンドは、
長手方向に渡って延在しているカバー本体部と、
前記案内レールの長手方向に渡って連続しているまたは切断されている前記取付ボルトに係合する係合部品と、
を有していることを特徴とする請求項１に記載の直動転がり案内ユニット。
【請求項３】
取付ボルトの頭部の小径部に、または取付ボルト頭部円周面に設けた凹部に、前記取付ボルトに係介する前記係合部品が係合してあることを特徴とする請求項１又は２に記載の直動転がり案内ユニット。
【請求項４】
前記取付ボルトに係合する係合部品は、前記取付ボルトと前記案内レール上の取付穴の間に取り付けられ、係合していることを特徴とする請求項１又は２に記載の直動転がり案内ユニット。
【請求項５】
前記案内レール上面のカバーバンドは、前記取付ボルトに係合する係合部品に係合して前記案内レール上に取り付けたことを特徴とする請求項１乃至４のいずれか１項に記載の直動転がり案内ユニット。
【請求項６】
前記カバー本体部と係合部品との二つの部品の少なくとも一方がステンレス鋼で製作されていることを特徴とする請求項１乃至５のいずれか１項に記載の直動転がり案内ユニット。
【発明の詳細な説明】
【技術分野】
【０００１】
本発明は、直線運動する物体を案内する機械部品として、工作機械や射出成形機、半導体製造機械、運搬機械、産業用ロボットなどで用いられ、防塵性を改良した直動転がり案内ユニットに関する。
【背景技術】
【０００２】
直線運動する物体を案内する機械部品としての直動転がり案内ユニットに於いて、特許文献１では、カバーバンドを折り曲げ、案内レールの両サイドに引っ掛かけて固着してある。
【０００３】
また、特許文献２では、案内レール上面の取付穴のボルト以上の空間を利用して、カバーバンドが固定してある。
【特許文献１】特許第２７１９９８５号公報（ＤＥ２９８００７００Ｕ）
【特許文献２】特開平８−２４７１４６号公報
【発明の開示】
【発明が解決しようとする課題】
【０００４】
しかしながら、特許文献１では、ＤＢ配置仕様の直動装置には適用できるが、案内レール上縁を転送溝とする場合、カバーバンドの折曲げ部が転送溝に干渉する。
【０００５】
また、特許文献２では、結合部品とカバー本体部の結合は溶接であるため、工程が複雑でコストが高い。さらに、ピッチ間と中心位置精度保証が難しく、取付座グリ穴が深くなる。案内レールは、転動体転送溝を焼入れする。この際の変形により座グリ穴ピッチが狂う。案内レールの取付面は一般に焼入れしないので、タップ穴（即ち取付ボルト）のピッチの方が正確である。
【０００６】
本発明は、上述したような事情に鑑みてなされたものであって、溝やアンダーカットを設けたり、取付穴に溝を開けたり一切することなく、座グリ穴を深くする必要もなく、加工工程を増大させず、コストを安くすることができる、直動転がり案内ユニットを提供することを目的とする。
【課題を解決するための手段】
【０００７】
上記の目的を達成するため、本発明に係る直動転がり案内ユニットは、案内レールの上面に、カバーバンドが長手方向にわたって取付けてある直動転がり案内ユニットに於いて、
前記カバーバンドは、前記案内レールを固着する取付ボルトに係合したことによって、前記案内レールの上面に取付けてあることを特徴とする。
【０００８】
また、好適には、前記カバーバンドは、
長手方向に渡って延在しているカバー本体部と、
前記案内レールの長手方向に渡って連続しているまたは切断されている前記取付ボルトに係合する係合部品と、
を有している。
【０００９】
さらに、好適には、取付ボルトの頭部の小径部に、または取付ボルト頭部円周面に設けた凹部に、前記取付ボルトに係介する前記係合部品が係合してある。
【００１０】
さらに、好適には、前記取付ボルトに係合する係合部品は、前記取付ボルトと前記案内レール上の取付穴の間に取り付けられ、係合している。
【００１１】
さらに、好適には、前記案内レール上面のカバーバンドは、前記取付ボルトに係合する係合部品に係合して前記案内レール上に取り付けた。
【００１２】
さらに、好適には、前記カバー本体部と係合部品との二つの部品の少なくとも一方がステンレス鋼で製作されている。
【発明の効果】
【００１３】
本発明によれば、溝やアンダーカットを設けたり、取付穴に溝を開けたり一切することなく、座グリ穴を深くする必要もなく、加工工程を増大させず、コストを安くすることができる。さらに、カバーバンド又は係合部品を取り付ける基準が、通常焼入れを行わない案内レール取付面のタップ穴、即ち取付ボルトであることにより、取付精度が向上する。
【発明を実施するための最良の形態】
【００１４】
以下、本発明の実施の形態に係る直動転がり案内ユニットを図面を参照しつつ説明する。
【００１５】
（第１実施の形態）
図１（ａ）は、本発明の第１実施の形態に係る直動転がり案内ユニットの正面図であり、（ｂ）は、その左側面図であり、（ｃ）は、その右側面図であり、（ｄ）は、その底面図であり、（ｅ）は、（ｂ）の符号ｅで示す部分の拡大図であり、（ｆ）は、（ｃ）の符号ｆで示す部分の拡大図であり、（ｇ）は、（ａ）の符号ｇで示す部分の拡大図である。
【００１６】
図２（ａ）は、取付ボルトに係合する係合部品の正面図であり、（ｂ）は、その底面図であり、（ｃ）は、その左側面図であり、（ｄ）は、（ａ）の符号ｄで示す部分の拡大図であり、（ｅ）は、係合部品の変形例の左側面図であり、（ｆ）は、その要部の拡大図である。
【００１７】
図３（ａ）は、カバーバンドの側面図であり、（ｂ）は、その底面図である。
【００１８】
図４（ａ）は、取付ボルトの正面図であり、（ｂ）は、取付ボルトの変形例の正面図である。
【００１９】
図１に示すように、案内レール１は、長く延在してあり、複数個の取付座グリ穴２を有している。案内レール１の上面には、後述する係合部品３を介して、カバーバンド４が長手方向にわたって装着してある。
【００２０】
図２に示すように、係合部品３は、長手方向に延在し両端部を円弧状に切欠いた板状部５と、この円弧状部の両端部から下方に延在した複数個の脚部６と、これら脚部６の下端部に形成した係止部７と、を有している。係合部品は、プレスまたは絞り加工によって製作される。
【００２１】
係止部７は、図２（ｃ）（ｄ）に示すように、切り起こした切片であってもよく、また、図２（ｅ）（ｆ）の変形例に示すように、山形に塑性変形したものであってもよい。
【００２２】
また、図１（ｅ）（ｆ）に示すように、係合部品３の板状部５の両サイドは、上向き、または下向きに折り曲げられている場合もある。
【００２３】
図３に示すように、カバーバンド４は、その両サイドが略円弧状に折り曲げてあり、ロールフォーミングによってより成形される。なお、カバーバンド４と係合部品３との二つの部品のいずれかがステンレス鋼で製作されている。
【００２４】
図４（ａ）に示すように、取付ボルト１０は、その頭部の下方に凹部１１を有している。図４（ｂ）に示すように、変形例として、取付ボルト１０の頭部の中間に、円周溝１２を有していてもよい。
【００２５】
図１（ｇ）に示すように、案内レール１の取付座グリ穴２と取付ボルト１０の頭部との間に、係合部品３の脚部６が挿入してあり、取付ボルト１０の頭部の凹部１１に、切片状の係止部７が係止してあり、これにより、係合部品３は、案内レール１側に固定してある。
【００２６】
図１（ｅ）（ｆ）に示すように、係合部品３の板状部５の両サイドの折り曲げた部分に、カバーバンド４の両サイドの折り曲げた部分が係合してあり、これにより、カバーバンド４は、係合部品３を介して、案内レール１に固定してある。
【００２７】
以上から、本実施の形態では、案内レール１の上面に溝を開けず、接着剤も使用せず、案内レール１の取付ボルト１０の頭部に係合することによって、カバーバンド４を取り付けることができる。
【００２８】
また、溝やアンダーカットを設けたり、取付座グリ穴２に溝を開けたり一切することなく、取付座グリ穴２を深くする必要もなく、加工工程を増大させず、コストを安くすることができる。
【００２９】
さらに、レール上面だけカバーするため、ＤＢ、ＤＦ構造に関わらず、全部適用できる。
【００３０】
さらに、取付ボルト１０に係合したため、溝入りやボルト共締めの場合、係合力が大きく、外れたりしないため、信頼性が高く、しかも、長さの制限もない。
【００３１】
さらに、取り付けの際、係合部品３を取付ボルト１０に取り付けた後、カバーバンド４を係合部品３に嵌め合うだけであり、その結果、作業が簡単で、取り扱いが容易である。
【００３２】
（第２実施の形態）
図５（ａ）は、本発明の第２実施の形態に係る直動転がり案内ユニットの側面図であり、（ｂ）は、その係合部品を示す側面図であり、（ｃ）は、変形例１に係る係合部品と取付ボルトの側面図であり、（ｄ）は、変形例２に係る係合部品の側面図である。
【００３３】
図５（ａ）（ｂ）（ｃ）（ｄ）の第２実施の形態では、取付ボルト１０の頭部に、凹部、円周溝、段差等を設けていない。
【００３４】
図５（ａ）（ｂ）の例では、係合部品３の脚部６の下端の係止部７は、略直角に折り曲げてあり、取付ボルト１０の頭部の底面と、案内レール１の取付座グリ穴２の底面との間に、締め付けて係止してあり、これにより、係合部品３は、案内レール１側に固定してある。
【００３５】
また、係合部品３の板状部５の両サイドの略円弧状に折り曲げた部分に、カバーバンド４の両サイドの折り曲げた部分が係合してあり、これにより、カバーバンド４は、係合部品３を介して、案内レール１に固定してある。
【００３６】
図５（ｃ）の変形例１では、係合部品３の脚部６の下端の係止部７は、略直角に折り曲げてあり、取付ボルト１０の頭部の底面と、案内レール１の取付座グリ穴２の底面との間に、締め付けて係止してあり、これにより、係合部品３は、案内レール１側に固定してある。
【００３７】
また、係合部品３の板状部５の両サイドは、上向きに折り曲げてあり、この折り曲げた部分に、カバーバンド４の両サイドの折り曲げた部分が係合するようになっている。
【００３８】
図５（ｄ）の変形例２では、係合部品３の脚部６の下端の係止部７は、略直角に折り曲げてあり、取付ボルト１０の頭部の底面と、案内レール１の取付座グリ穴２の底面との間に、締め付けて係止するようになっている。
【００３９】
また、係合部品３の板状部５の両サイドは、下向きに折り曲げてあり、この折り曲げた部分に、カバーバンド４の両サイドの折り曲げた部分が係合するようになっている。
【００４０】
以上から、本実施の形態に於いても、案内レール１の上面に溝を開けず、接着剤も使用せず、案内レール１の取付ボルト１０の頭部に係合することによって、カバーバンド４を取り付けることができる。
【００４１】
また、溝やアンダーカットを設けたり、取付座グリ穴２に溝を開けたり一切することなく、取付座グリ穴２を深くする必要もなく、加工工程を増大させず、コストを安くすることができる。
【００４２】
さらに、レール上面だけカバーするため、ＤＢ、ＤＦ構造に関わらず、全部適用できる。
【００４３】
さらに、取付ボルト１０に係合したため、溝入りやボルト共締めの場合、係合力が大きく、外れたりしないため、信頼性が高く、しかも、長さの制限もない。
【００４４】
さらに、取り付けの際、係合部品３を取付ボルト１０に取り付けた後、カバーバンド４を係合部品３に嵌め合うだけであり、その結果、作業が簡単で、取り扱いが容易である。
【００４５】
（第３実施の形態）
図６（ａ）は、本発明の第３実施の形態に係る直動転がり案内ユニットの側面図であり、（ｂ）は、その係合部品の斜視図であり、（ｃ）は、変形例に係る直動転がり案内ユニットの側面図である。
【００４６】
図６（ａ）（ｂ）の例では、取付ボルト１０の頭部に、凹部、円周溝、段差等を設けていない。
【００４７】
また、係合部品３の脚部６が山形に折り曲げてあり、この折り曲げた脚部６は、取付座グリ穴２の側壁と、取付ボルト１０の頭部との間に係合してあり、これにより、係合部品３は、案内レール１側に固定してある。
【００４８】
図６（ｃ）の変形例では、係合部品３の脚部６が互いに交差するように折り曲げてあり、この交差して折り曲げた脚部６は、取付ボルト１０の頭部のレンチ穴１０ａに係合してあり、これにより、係合部品３は、案内レール１側に固定してある。
【００４９】
以上から、本実施の形態に於いても、案内レール１の上面に溝を開けず、接着剤も使用せず、案内レール１の取付ボルト１０の頭部に係合することによって、カバーバンド４を取り付けることができる。
【００５０】
また、溝やアンダーカットを設けたり、取付座グリ穴２に溝を開けたり一切することなく、取付座グリ穴２を深くする必要もなく、加工工程を増大させず、コストを安くすることができる。
【００５１】
さらに、レール上面だけカバーするため、ＤＢ、ＤＦ構造に関わらず、全部適用できる。
【００５２】
さらに、取付ボルト１０に係合したため、溝入りやボルト共締めの場合、係合力が大きく、外れたりしないため、信頼性が高く、しかも、長さの制限もない。
【００５３】
さらに、取り付けの際、係合部品３を取付ボルト１０に取り付けた後、カバーバンド４を係合部品３に嵌め合うだけであり、その結果、作業が簡単で、取り扱いが容易である。
【００５４】
なお、本発明は、上述した実施の形態に限定されず、種々変形可能である。
【図面の簡単な説明】
【００５５】
【図１】（ａ）は、本発明の第１実施の形態に係る直動転がり案内ユニットの正面図であり、（ｂ）は、その左側面図であり、（ｃ）は、その右側面図であり、（ｄ）は、その底面図であり、（ｅ）は、（ｂ）の符号ｅで示す部分の拡大図であり、（ｆ）は、（ｃ）の符号ｆで示す部分の拡大図であり、（ｇ）は、（ａ）の符号ｇで示す部分の拡大図である。
【図２】（ａ）は、取付ボルトに係合する係合部品の正面図であり、（ｂ）は、その底面図であり、（ｃ）は、その左側面図であり、（ｄ）は、（ａ）の符号ｄで示す部分の拡大図であり、（ｅ）は、係合部品の変形例の左側面図であり、（ｆ）は、その要部の拡大図である。
【図３】（ａ）は、カバーバンドの側面図であり、（ｂ）は、その底面図である。
【図４】（ａ）は、取付ボルトの正面図であり、（ｂ）は、取付ボルトの変形例の正面図である。
【図５】（ａ）は、本発明の第２実施の形態に係る直動転がり案内ユニットの側面図であり、（ｂ）は、その係合部品を示す側面図であり、（ｃ）は、変形例１に係る係合部品と取付ボルトの側面図であり、（ｄ）は、変形例２に係る係合部品の側面図である。
【図６】（ａ）は、本発明の第３実施の形態に係る直動転がり案内ユニットの側面図であり、（ｂ）は、その係合部品の斜視図であり、（ｃ）は、変形例に係る直動転がり案内ユニットの側面図である。
【符号の説明】
【００５６】
１  案内レール
２  取付座グリ穴
３  係合部品
４  カバーバンド
５  板状部
６  脚部
７  係止部
１０  取付ボルト
１０ａ  レンチ穴
１１  凹部
１２  円周溝
【図１】
2007064448.tif 000003
【図２】
2007064448.tif 000004
【図３】
2007064448.tif 000005
【図４】
2007064448.tif 000006
【図５】
2007064448.tif 000007
【図６】
2007064448.tif 000008